(57)【要約】【課題】吸込口体への給電状況が容易に判断できる電気掃除機用延長管を提供する。【解決手段】一端に塵埃吸引用の吸込口体（図示せず）が接続され、前記吸込口体に内蔵された電気部品（図示せず）に給電するための導電体４を少なくとも１対内蔵し、前記吸込口体（図示せず）側の前記導電体４間に表示手段を電気的に接続したもので、延長管１の吸込口体側まで導電体４により通電が正常に行なわれているか否か、即ち吸込口体に正常に給電が行なわれているか否かを表示手段６で容易に判断できる。【選択図】図１
2005211562.tif 000002
【特許請求の範囲】
【請求項１】
一端に塵埃吸引用の吸込口体が接続され、前記吸込口体に内蔵された電気部品に給電するための導電体を少なくとも１対内蔵し、前記吸込口体側の導電体間に表示手段を電気的に接続した電気掃除機用延長管。
【請求項２】
太管と、前記太管内を軸方向に摺動自在の細管とで構成した請求項１記載の電気掃除機用延長管。
【請求項３】
表示手段を細管側に設けた請求項２記載の電気掃除機用延長管。
【請求項４】
表示手段に発光ダイオードを用いた請求項１〜３のいずれか１項に記載の電気掃除機用延長管。
【請求項５】
電動送風機を内蔵し、前記電動送風機に請求項１〜４のいずれか１項に記載の電気掃除機用延長管が連通するよう構成した電気掃除機。
【発明の詳細な説明】
【技術分野】
【０００１】
本発明は、電気掃除機用延長管及び電気掃除機に関するものである。
【背景技術】
【０００２】
従来、電動式の吸込口体を有する電気掃除機について、図３、４を用いて説明する。
【０００３】
図３において、吸込口体１０に内蔵された電動機等の電気部品９に、掃除機本体１１から給電するために、掃除機本体１１と電気的に連結された導電体（図示せず）を、一端が掃除機本体１１に接続されたホース１２及び、ホース１２の他端と吸込口体１１との間に接続される延長管１３に埋設若しくは内蔵していた。掃除機本体１１の後部には、吸引力を発する電動送風機１８を、前部には、前記電動送風機１８に連通するとともに、吸引された塵埃を捕集する集塵室１９が配されている。
【０００４】
その延長管１３は、図３及び図４に示すように、太管１４と、太管１４内を摺動する細管１５とで構成され、これら太管１４と細管１５は連結管１６により連結されるとともに所定の摺動位置で固定可能とし、伸縮自在に構成されている。そして、前記細管１５を摺動させて延長管１３の長さを変化させる関係で、延長管１３に内蔵された導電体は、変形可能な導体１７で形成されていた（例えば、特許文献１参照）。
【特許文献１】特開平２−１８０２３３号公報
【発明の開示】
【発明が解決しようとする課題】
【０００５】
しかしながら、上記のように伸縮自在に長さを調節できる延長管１３の構成では、埋設若しくは内蔵された導体１７に対して屈曲・伸張の機械的ストレスが絶えず繰り返されるため、導体１７の一部が破損（断線）し、吸込口体１０が使用できなくなってしまうということがあった。
【０００６】
しかも、このような状態になっても外観上変化がないため、使用者は、導体１７が断線した時、吸込口体１０が不良なのか、延長管１３あるいはそれ以外の部品が不良なのか簡単に判断できず、非常に不便であった。
【０００７】
本発明は上記課題を解決するもので、延長管内の導電体による給電状態が外部から容易に判断できる電気掃除機用延長管及び電気掃除機を提供することを目的とするものである。
【課題を解決するための手段】
【０００８】
上記従来の課題を解決するために、本発明の電気掃除機用延長管は、一端に塵埃吸引用の吸込口体が接続され、前記吸込口体に内蔵された電気部品に給電するための導電体を少なくとも１対内蔵し、前記吸込口体側の前記導電体間に表示手段を電気的に接続したもので、延長管の吸込口体側まで通電が正常に行なわれているか否か、即ち吸込口体内の電動機などの電気部品に正常に給電が行なわれているか否かを表示手段で容易に判断することができる。
【０００９】
また、本発明の電気掃除機は、電動送風機を内蔵し、前記電動送風機に請求項１〜４のいずれか１項に記載の電気掃除機用延長管が連通するよう構成したもので、吸込口体内の電動機などの電気部品に正常に給電が行なわれているか否かを延長管に設けた表示手段で容易に判断できる使用勝手の良い電気掃除機を提供する事ができる。
【発明の効果】
【００１０】
本発明の電気掃除機用延長管及び電気掃除機は、表示手段により使用者は延長管内の導電体による給電状態を容易に知ることができるものである。
【発明を実施するための最良の形態】
【００１１】
第１の発明は、一端に塵埃吸引用の吸込口体が接続され、前記吸込口体に内蔵された電気部品に給電するための導電体を少なくとも１対内蔵し、前記吸込口体側の前記導電体間に表示手段を電気的に接続したもので、延長管の吸込口体側まで通電が正常に行なわれているか否か、即ち吸込口体内の電動機などの電気部品に正常に給電が行なわれているか否かを表示手段で容易に判断することができる。
【００１２】
第２の発明は、第１の発明の電気掃除機用延長管を太管と、前記太管内を軸方向に摺動自在の細管とで構成したもので、延長管を継ぎ足したり、外したりする事無く自由に伸縮できるものである。
【００１３】
第３の発明は、第２の発明の表示手段を細管側に設けたもので、細管を吸込口体側に配した場合は、表示手段も吸込口体側になるので、前記吸込口体に正常に給電されているか否かをより実感する事ができる。
【００１４】
第４の発明は、第１〜３のいずれか１つの発明の表示手段に発光ダイオードを用いたもので、発光ダイオードは一般の電球等に較べ、掃除の際に延長管に加わる振動や機械的ストレスに強いので、耐久性の優れた表示手段とすることができ、延長管の信頼性を高める事ができる。
【００１５】
第５の発明は、電動送風機を内蔵し、前記電動送風機に請求項１〜４のいずれか１項に記載の電気掃除機用延長管が連通するよう構成した電気掃除機で、吸込口体内の電動機などの電気部品に正常に給電が行なわれているか否かを延長管に設けた表示手段で容易に判断できる使用勝手の良い電気掃除機を提供する事ができる。
【００１６】
以下、本発明の実施の形態について、図面を参照しながら説明する。なお、この実施の形態によりこの発明が限定されるものではない。
【００１７】
（実施の形態１）
図１は、本発明の第１の実施の形態における電気掃除機の延長管の平面図、図２は、同延長管の端部の断面図である。なお、従来例と同一部分については、同一符号を付してその説明を省略する。
【００１８】
図１において、延長管１は、ホース１２側の太管２と、この太管２に重合するとともに軸方向に内部で摺動可能に設けられ、吸込口体１０を接続する細管３と、前記太管２から細管３にわたって設けられ吸込口体１０に内蔵された電動機などの電気部品９に給電する１対の導電体４と、その導電体４の一部に形成され前記細管２を摺動させて長さを変化させることに伴い変形可能な変形導電体部５と、前記細管３で吸込口体１０を接続部の略近傍に設けられ、かつ、前記１対の導電体４間に電気的に接続された表示手段６を備えている。表示手段６は、発光ダイオード７を用いている。
【００１９】
上記構成における電気掃除機の延長管の動作、作用は以下の通りである。
【００２０】
導電体４は吸込口体１０に給電を行うための導線であるから、その導電体４に接続された表示手段６は吸込口体１０内の電気部品９に給電していることや延長管１内の導電体４に断線などの破損がなく正常に通電が行われていることを使用者に表示するものである。そして表示手段６には発光ダイオード７を用いているから、機械的ストレスにも強く表示手段６自体が容易に破損する恐れもない。
【００２１】
また、表示手段６を細管３に設けているので、使用者の視認性が向上できるとともにその部位は吸込口体１０の近傍すなわち延長管１の出口側でもあるから、延長管１全体が電気的に正常であることがわかる。
【００２２】
なお本発明では伸縮可能な延長管について説明したが、伸縮しない延長管、継ぎ足して使用する延長管にも適用できることは言うまでもない。
【産業上の利用可能性】
【００２３】
以上のように、本発明にかかる電気掃除機用延長管及び電気掃除機は、安価な構成で、延長管内の導電体による通電状況が確実にしかも容易に使用者に知らしめることができるもので、機器や部品間を接続するとともに導電体を内蔵する各種部品及びそれを用いた機器、装置にも適用できるものである。
【図面の簡単な説明】
【００２４】
【図１】本発明の実施の形態１における電気掃除機の延長管の平面図
【図２】同延長管の要部断面図
【図３】従来の電気掃除機の全体構成を示す側面図
【図４】同電気掃除機の延長管の側面図
【符号の説明】
【００２５】
１    延長管
２    太管
３    細管
４    導電体
６    表示手段
９    電気部品
１０  吸込口体
【図１】
2005211562.tif 000003
【図２】
2005211562.tif 000004
【図３】
2005211562.tif 000005
【図４】
2005211562.tif 000006